(57)【要約】【課題】曲（音楽データ）の情報として、曲名やアーティスト名等のタグ情報ばかりでなくディスクのレーベル面の画像もディスプレイ装置に表示する。【解決手段】オーディオ制御部３は、ＣＤをＣＤプレーヤ４に挿入した際にスキャナ５によりＣＤのレーベル面の画像をスキャニングし、ＣＤ内の曲名，アーティスト名等のタグ情報を取得し、タグ情報およびスキャニングしたＣＤのレーベル面の画像を曲（音楽データ）とともに記憶装置２に記憶する。また、オーディオ制御部３は、記記憶装置２に記憶されているタグ情報およびＣＤのレーベル面の画像をディスプレイ装置１に表示する。【選択図】図１
2007200396.tif 000002
【特許請求の範囲】
【請求項１】
ディスクをプレーヤに挿入した際に当該ディスクのレーベル面をスキャニングして画像を取得するスキャナと、
前記ディスクに記録された音楽データのタグ情報を取得し、前記タグ情報および前記ディスクのレーベル面の画像を記憶装置に記憶し、前記記憶装置に記憶されている前記タグ情報および前記ディスクのレーベル面の画像をディスプレイ装置に表示するオーディオ制御部と
を有することを特徴とする音楽再生装置。
【請求項２】
前記オーディオ制御部は、前記記憶装置内に既に同一のタグ情報が記憶されていないことを条件に、前記タグ情報および前記ディスクのレーベル面の画像を前記記憶装置に記憶する請求項１記載の音楽再生装置。
【請求項３】
前記オーディオ制御部は、前記タグ情報および前記ディスクのレーベル面の画像を前記ディスクに記録されている音楽データとともに前記記憶装置に記憶する請求項１または２記載の音楽再生装置。
【請求項４】
前記オーディオ制御部は、操作部の操作に基づいて過去に再生した音楽データのリストを表示する旨の要求があった場合に前記記憶装置に記憶されている前記タグ情報および前記ディスクのレーベル面の画像をディスプレイ装置に表示する請求項１ないし３のいずれか１項に記載の音楽再生装置。
【請求項５】
前記タグ情報は、少なくとも曲名およびアーティスト名を含む請求項１ないし４のいずれか１項に記載の音楽再生装置。
【発明の詳細な説明】
【技術分野】
【０００１】
本発明は音楽再生装置に関し、特にＣＤ（Compact Disk），ＤＶＤ（Digital Video Disk）等のディスクに記録された曲（音楽データ）を再生する音楽再生装置に関する。
【背景技術】
【０００２】
周知のように、曲（音楽データ）を記録するＣＤ，ＤＶＤ等のディスクの表面には、図６に例示するように、記録されている曲（音楽データ）の特長を表すようなレーベルが印刷または貼付されているのが通例である。ユーザは、レーベルの画像を見て、記録されている曲（音楽データ）の内容を想像したり、記録されている曲（音楽データ）を識別する曲名，アーティスト名等の情報を得たりしている。
【０００３】
従来技術として、ディスクのレーベル面の画像を読み取る技術が公知である（例えば、特許文献１，特許文献２参照）。
【０００４】
また、一度再生した曲（音楽データ）をＨＤＤ（Heard Disk Drive）上に蓄積し、曲名，アーティスト名等のタグ情報（テキスト情報）を記憶する技術が公知である（例えば、特許文献３参照）。
【特許文献１】特開２００３−１４１８４４号公報
【特許文献２】特開２００３−００１８７３号公報
【特許文献３】特開２００４−１３４０１０号公報
【発明の開示】
【発明が解決しようとする課題】
【０００５】
しかしながら、従来の音楽再生装置では、過去に再生（視聴）した曲（音楽データ）を再度再生する際に、曲（音楽データ）が記録されていたディスクのレーベル面の画像は表示されていなかったので、ユーザはどのディスクに記録されていた曲（音楽データ）が再生されているのかを容易に判断することができないという問題点があった。
【０００６】
本発明の目的は、過去に再生した曲（音楽データ）の関連情報として、曲名，アーティスト名等のタグ情報（テキスト情報）だけでなく、ディスクのレーベル面の画像（イメージ情報）もディスプレイ装置に表示するようにした音楽再生装置を提供することにある。
【課題を解決するための手段および発明の効果】
【０００７】
請求項１記載の音楽再生装置は、ディスクをプレーヤに挿入した際に当該ディスクのレーベル面をスキャニングして画像を取得するスキャナと、前記ディスクに記録された音楽データのタグ情報を取得し、前記タグ情報および前記ディスクのレーベル面の画像を記憶装置に記憶し、前記記憶装置に記憶されている前記タグ情報および前記ディスクのレーベル面の画像をディスプレイ装置に表示するオーディオ制御部とを有することを特徴とする。請求項１記載の音楽再生装置によれば、ディスクに記録された音楽データのタグ情報およびディスクのレーベル面の画像を記憶装置に記憶し、記憶装置に記憶されているタグ情報およびディスクのレーベル面の画像をディスプレイ装置に表示するようにしたことにより、どのディスクに記録された曲（音楽データ）が再生対象であるのかをユーザが容易に判別できるようになる。
【０００８】
請求項２記載の音楽再生装置は、請求項１記載の音楽再生装置において、前記オーディオ制御部が、前記記憶装置内に既に同一のタグ情報が記憶されていないことを条件に、前記タグ情報および前記ディスクのレーベル面の画像を前記記憶装置に記憶することを特徴とする。請求項２記載の音楽再生装置によれば、同一のタグ情報およびディスクのレーベル面の画像が記憶装置内に重複して記憶されることを防止する。
【０００９】
請求項３記載の音楽再生装置は、請求項１または２記載の音楽再生装置において、前記オーディオ制御部が、前記タグ情報および前記ディスクのレーベル面の画像を前記ディスクに記録されている音楽データとともに前記記憶装置に記憶することを特徴とする。請求項３記載の音楽再生装置によれば、タグ情報およびディスクのレーベル面の画像が音楽データとともに記憶装置に記憶されるので、一度再生した曲（音楽データ）を再度再生する際にディスクを使用する必要がないという利点がある。
【００１０】
請求項４記載の音楽再生装置は、請求項１ないし３のいずれか１項に記載の音楽再生装置において、前記オーディオ制御部が、操作部の操作に基づいて過去に再生した音楽データのリストを表示する旨の要求があった場合に前記記憶装置に記憶されている前記タグ情報および前記ディスクのレーベル面の画像をディスプレイ装置に表示することを特徴とする。請求項４記載の音楽再生装置によれば、ユーザからの要求に基づいてタグ情報およびディスクのレーベル面の画像をディスプレイ装置に表示させるようにしたので、ユーザは過去に再生したことのある曲（音楽データ）のタグ情報およびディスクのレーベル面の画像を確認することができる。
【００１１】
請求項５記載の音楽再生装置は、請求項１ないし４のいずれか１項に記載の音楽再生装置において、前記タグ情報は、少なくとも曲名およびアーティスト名を含むことを特徴とする。請求項５記載の音楽再生装置によれば、タグ情報に少なくとも曲名およびアーティスト名が含まれるので、ユーザは容易に曲（音楽データ）を特定することができる。
【発明を実施するための最良の形態】
【００１２】
ユーザによる再生対象となる曲（音楽データ）を記録するディスクの特定を補助するという目的を、ユーザが再生した曲（音楽データ）をディスクから再度再生する際の補助情報として、曲名，アーティスト名等のタグ情報（テキスト情報）だけでなく、ディスクのレーベル面の画像（イメージ情報）をディスプレイ装置に表示することにより達成した。
【００１３】
以下、本発明の実施の形態を、図面を参照して詳細に説明する。
【実施例１】
【００１４】
図１は、本発明の実施例１に係る音楽再生装置の構成を示すブロック図である。本実施例１に係る音楽再生装置は、ディスプレイ装置１と、記憶装置２と、オーディオ制御部３と、ＣＤプレーヤ４と、スキャナ５と、操作部６とから、その主要部が構成されている。
【００１５】
ディスプレイ装置１は、液晶表示装置，有機ＥＬ（Electroluminescence）表示装置等からなる。
【００１６】
記憶装置２は、ＨＤＤ，ＥＥＰＲＯＭ（Electrically Erasable Programmable Read Only Memory）等の電源を落としてもデータを保持する不揮発性メモリでなる。記憶装置２は、曲（音楽データ），タグ情報，ＣＤ１０（図２参照）のレーベル面の画像等を記憶することから、大容量記憶装置であることが望ましい。
【００１７】
オーディオ制御部３は、図示しないＣＰＵ（Central Processing Unit）等を含む制御回路からなり、ＣＤプレーヤ４からの再生信号をスピーカ（図示せず）に出力したり、曲（音楽データ）のタグ情報やＣＤ１０のレーベル面の画像をディスプレイ装置１に表示したりする。
【００１８】
ＣＤプレーヤ４は、ＣＤ１０に記録された曲（音楽データ）を読み出して再生する。なお、ＣＤ１０に記録された曲（音楽データ）の符号化は、リニアＰＣＭ（Pulse Code Modulation）等によって行われているものとする。また、ＣＤプレーヤ４は、ＣＤ１０に曲（音楽データ）に関連して記録された曲名，アーティスト名等のタグ情報を読み取る役目もする。
【００１９】
ＣＤプレーヤ４は、例えば、図２（ａ）および（ｂ）に示すように、平面から見て四角枠状の筐体４１と、筐体４１に対してＣＤ１０の着脱位置（図２（ａ）参照）と装填位置（図２（ｂ）参照）との間でスライド可能に設けられたＣＤ載置台４２とを含んで構成されている。図２（ｂ）に示すＣＤ１０の装填位置で、ＣＤ載置台４２に載置したＣＤ１０に対応する筐体４１内に、図３に示すように、ＣＤ１０を回転駆動するスピンドルモータ４３と、ＣＤ１０の回転を制動する制動機構４４と、ＣＤ１０から曲（音楽データ）およびタグ情報をピックアップする光学ヘッド４５と、これらを制御するマイクロコンピュータ４６とが設けられている。
【００２０】
スキャナ５は、ＣＤ１０のレーベル面の画像を光学的に読み取るラインイメージセンサでなる。ユーザがＣＤ１０をＣＤプレーヤ４に挿入した際に、スキャナ５にてＣＤ１０のレーベル面の画像がスキャニングされる。
【００２１】
スキャナ５は、例えば図２（ａ）および（ｂ）に示すように、ＣＤプレーヤ４の筐体４１内にＣＤ載置台４２のスライド方向と直行する方向に所定の間隔を空けて架設された一対の水平バー５ａ，５ｂに、左右両端部を摺動自在に支持されるように配設されている。スキャナ５は、図示しないモータ等の駆動力によって水平バー５ａ，５ｂにガイドされながら、上端退避位置（図２（ａ）参照）から画像読取位置（図２（ｂ）参照）にスライドし、ＣＤ１０のレーベル面の画像を光学的に読み取る。
【００２２】
操作部６は、押しボタンスイッチ（図示せず）等を含む操作パネルでなる。
【００２３】
図４は、ディスプレイ装置１の表示態様を例示する図である。図４では、ディスプレイ装置１に、ＣＤ１０のレーベル面の画像（イメージ情報）と、ＣＤ１０に記録されている曲（音楽データ）の曲名およびアーティスト名からなるタグ情報とが表示されている。
【００２４】
図５は、オーディオ制御部３の処理を示すフローチャートである。
【００２５】
次に、このように構成された本実施例１に係る音楽再生装置の動作について説明する。
【００２６】
操作部６のユーザ操作に基づいて過去に再生した曲（音楽データ）のリストを表示する要求が入力されていなければ（図２のＳ１０１：Ｎｏ）、オーディオ制御部３は、ＣＤ１０の挿入または入れ替えであるかどうかを判定し（図５のＳ１０２）、ＣＤ１０の挿入でも入れ替えでもなければ（図５のＳ１０２：Ｎｏ）、ステップＳ１０１に制御を戻す。
【００２７】
ＣＤ１０の挿入または入れ替えであれば（図５のＳ１０２：Ｙｅｓ）、オーディオ制御部３は、ＣＤ１０から再生する曲（音楽データ）の曲名，アーティスト名等のタグ情報を取得するとともに（図５のＳ１０３）、スキャナ５によりＣＤ１０のレーベル面を光学的にスキャニングする（図５のＳ１０４）。
【００２８】
次に、オーディオ制御部３は、取得したタグ情報と同一のタグ情報が記憶装置２にすでに記憶されているかどうかを判定し（図５のＳ１０５）、記憶されていれば（図５のＳ１０５：Ｙｅｓ）、ステップＳ１０１に制御を戻す。すなわち、曲（音楽データ）をタグ情報およびＣＤ１０のレーベル面の画像とともに記憶装置２に記憶する際に、既に同一の曲（音楽データ）のタグ情報が記憶装置２内に記憶されている場合には、新規の曲（音楽データ）ならびにタグ情報およびＣＤ１０のレーベル面の画像の記憶は行わない。
【００２９】
取得したタグ情報と同一のタグ情報が記憶装置２に記憶されていなければ（図５のＳ１０５：Ｎｏ）、オーディオ制御部３は、曲（音楽データ）ならびにタグ情報およびＣＤ１０のレーベル面の画像を記憶装置２に記憶して（図５のＳ１０６）、ステップＳ１０１に制御を戻す。
【００３０】
操作部６のユーザ操作に基づいて過去に再生した曲（音楽データ）のリストを表示する旨の要求があった場合には（図５のＳ１０１：Ｙｅｓ）、オーディオ制御部３は、記憶装置２に記憶されているタグ情報およびＣＤ１０のレーベル面の画像を取得して、例えば、図４に示すように、ディスプレイ装置１に表示する（図５のＳ１０７）。
【００３１】
実施例１によれば、ＣＤ１０をＣＤプレーヤ４に挿入した際にＣＤ１０のレーベル面をスキャニングするスキャナ５と、ＣＤ１０に記録されている曲（音楽データ）およびタグ情報を取得し、スキャニングしたＣＤ１０のレーベル面の画像とともに記憶装置２に記憶し、記憶装置２に記憶されているタグ情報およびＣＤ１０のレーベル面の画像をディスプレイ装置１に表示するオーディオ制御部３を設けたので、ユーザが過去に再生した曲（音楽データ）を、ＣＤ１０より再度再生する際に、ＣＤプレーヤ４で曲（音楽データ）のタグ情報および曲（音楽データ）を記録するＣＤ１０のレーベル面の画像をディスプレイ装置１に表示することで、どのＣＤ１０に記録された曲（音楽データ）が再生対象であるのかをユーザが容易に判別することが可能になる。
【００３２】
ところで、上記実施例１では、曲（音楽データ）を記憶装置２に記憶することを前提に説明したが、曲（音楽データ）を記憶装置２に記憶しない場合でも、本発明が同様に適用できることはいうまでもない。換言すれば、本発明では、曲（音楽データ）を再生しようとする際に、ディスプレイ装置１に曲（音楽データ）のタグ情報および曲（音楽データ）を記録するＣＤ１０のレーベル面の画像が表示されればよいので、曲（音楽データ）を記憶装置２にかならずしも記憶する必要はない。
【００３３】
また、上記実施例１では、ディスクをＣＤ１０として、プレーヤをＣＤプレーヤ４とした場合を例にとって説明したが、ディスクはＤＶＤ等の他の記録媒体であっても、プレーヤはＤＶＤプレーヤ等の他のプレーヤであっても、本発明が同様に適用できることはいうまでもない。
【００３４】
さらに、上記実施例１では、曲（音楽データ）のタグ情報を曲名およびアーティスト名としたが、タグ情報には作曲者，作詞者，発売元等の他の情報が含まれていてもよいことはいうまでもない。
【００３５】
以上、本発明の実施例を説明したが、これはあくまでも例示にすぎず、本発明はこれに限定されるものではなく、特許請求の範囲の趣旨を逸脱しない限りにおいて、当業者の知識に基づく種々の変更が可能である。
【図面の簡単な説明】
【００３６】
【図１】本発明の実施例１に係る音楽再生装置の構成を示すブロック図。
【図２】（ａ），（ｂ）はＣＤプレーヤおよびスキャナの動作遷移図。
【図３】ＣＤプレーヤおよびスキャナの内部構成図。
【図４】ディスプレイ装置の表示態様の一例を示す図。
【図５】本実施例１に係る音楽再生装置の動作を示すフローチャート。
【図６】ディスクのレーベル面の画像の一例を示す図。
【符号の説明】
【００３７】
１  ディスプレイ装置
２  記憶装置
３  オーディオ制御部
４  ＣＤプレーヤ
５  スキャナ
６  操作部
１０  ＣＤ
４１  筐体
４２  ＣＤ載置台
４３  スピンドルモータ
４４  制動機構
４５  光学ヘッド
４６  マイクロコンピュータ
【図１】
2007200396.tif 000003
【図２】
2007200396.tif 000004
【図３】
2007200396.tif 000005
【図４】
2007200396.tif 000006
【図５】
2007200396.tif 000007
【図６】
2007200396.tif 000008
【手続補正書】
【提出日】平成18年12月1日(2006.12.1)
【手続補正１】
【補正対象書類名】明細書
【補正対象項目名】００２３
【補正方法】変更
【補正の内容】
【００２３】
ディスプレイ装置１の表示態様としては、ＣＤ１０のレーベル面の画像（イメージ情報）と、ＣＤ１０に記録されている曲（音楽データ）の曲名およびアーティスト名からなるタグ情報とを表示することができる。
【手続補正２】
【補正対象書類名】明細書
【補正対象項目名】００２４
【補正方法】変更
【補正の内容】
【００２４】
図４は、オーディオ制御部３の処理を示すフローチャートである。
【手続補正３】
【補正対象書類名】明細書
【補正対象項目名】００２６
【補正方法】変更
【補正の内容】
【００２６】
操作部６のユーザ操作に基づいて過去に再生した曲（音楽データ）のリストを表示する要求が入力されていなければ（図４のＳ１０１：Ｎｏ）、オーディオ制御部３は、ＣＤ１０の挿入または入れ替えであるかどうかを判定し（図４のＳ１０２）、ＣＤ１０の挿入でも入れ替えでもなければ（図４のＳ１０２：Ｎｏ）、ステップＳ１０１に制御を戻す。
【手続補正４】
【補正対象書類名】明細書
【補正対象項目名】００２７
【補正方法】変更
【補正の内容】
【００２７】
ＣＤ１０の挿入または入れ替えであれば（図４のＳ１０２：Ｙｅｓ）、オーディオ制御部３は、ＣＤ１０から再生する曲（音楽データ）の曲名，アーティスト名等のタグ情報を取得するとともに（図４のＳ１０３）、スキャナ５によりＣＤ１０のレーベル面を光学的にスキャニングする（図４のＳ１０４）。
【手続補正５】
【補正対象書類名】明細書
【補正対象項目名】００２８
【補正方法】変更
【補正の内容】
【００２８】
次に、オーディオ制御部３は、取得したタグ情報と同一のタグ情報が記憶装置２にすでに記憶されているかどうかを判定し（図４のＳ１０５）、記憶されていれば（図４のＳ１０５：Ｙｅｓ）、ステップＳ１０１に制御を戻す。すなわち、曲（音楽データ）をタグ情報およびＣＤ１０のレーベル面の画像とともに記憶装置２に記憶する際に、既に同一の曲（音楽データ）のタグ情報が記憶装置２内に記憶されている場合には、新規の曲（音楽データ）ならびにタグ情報およびＣＤ１０のレーベル面の画像の記憶は行わない。
【手続補正６】
【補正対象書類名】明細書
【補正対象項目名】００２９
【補正方法】変更
【補正の内容】
【００２９】
取得したタグ情報と同一のタグ情報が記憶装置２に記憶されていなければ（図４のＳ１０５：Ｎｏ）、オーディオ制御部３は、曲（音楽データ）ならびにタグ情報およびＣＤ１０のレーベル面の画像を記憶装置２に記憶して（図４のＳ１０６）、ステップＳ１０１に制御を戻す。
【手続補正７】
【補正対象書類名】明細書
【補正対象項目名】００３０
【補正方法】変更
【補正の内容】
【００３０】
操作部６のユーザ操作に基づいて過去に再生した曲（音楽データ）のリストを表示する旨の要求があった場合には（図４のＳ１０１：Ｙｅｓ）、オーディオ制御部３は、記憶装置２に記憶されているタグ情報およびＣＤ１０のレーベル面の画像を取得して、ディスプレイ装置１に表示する（図４のＳ１０７）。
【手続補正８】
【補正対象書類名】明細書
【補正対象項目名】００３６
【補正方法】変更
【補正の内容】
【００３６】
【図１】本発明の実施例１に係る音楽再生装置の構成を示すブロック図。
【図２】（ａ），（ｂ）はＣＤプレーヤおよびスキャナの動作遷移図。
【図３】ＣＤプレーヤおよびスキャナの内部構成図。
【図４】本実施例１に係る音楽再生装置の動作を示すフローチャート。
【手続補正９】
【補正対象書類名】図面
【補正対象項目名】図４
【補正方法】変更
【補正の内容】
【図４】
2007200396.tif 000009
【手続補正１０】
【補正対象書類名】図面
【補正対象項目名】図５
【補正方法】削除
【補正の内容】
【手続補正１１】
【補正対象書類名】図面
【補正対象項目名】図６
【補正方法】削除
【補正の内容】